(57)【要約】    【課題】  穀稈搬送への悪影響、引起装置上動高さに制約（限界）があり、メンテナンスも容易でない。    【構成】  刈取部４を機体前部に設け、刈取部４のうち少なくとも分草装置８と引起装置９は、刈取フレーム１８の刈取下側フレーム１９の左右両側の側部フレーム２７、２８の上部に設けた上側伝動ケース４１から吊り下げて該上側伝動ケース４１の軸心を中心として上方回動するように構成し、前記刈取フレーム１８の刈取下側フレーム１９内に設けたエンジンからの回転が伝達される下側伝達軸５１の回転は、前記左右側部フレーム２７、２８のうちの左側部フレーム２７内に設けた側部伝達軸５２を介して引起装置９に伝達するように構成したコンバイン。【選択図】    図３
2006320279.tif 000002
【特許請求の範囲】
【請求項１】
最前方位置に左右に複数並設した分草装置８と、該分草装置８の後方に複数並設した穀稈を引き起こすラグ式引起装置９と、該引起装置９の後方に設けた穀稈を切断する刈刃１０と、該刈刃１０の後方に設けた搬送装置１１とを有する刈取部４を機体前部に設け、該刈取部４は、刈取部４のうち少なくとも前記分草装置８と前記引起装置９を、刈取フレーム１８の刈取下側フレーム１９の左右両側の側部フレーム２７、２８の上部に設けた上側伝動ケース４１から吊り下げて該上側伝動ケース４１の軸心を中心として上方回動するように構成し、前記刈取フレーム１８の刈取下側フレーム１９内に設けたエンジンからの回転が伝達される下側伝達軸５１の回転を、前記左右側部フレーム２７、２８のうちの左側部フレーム２７内に設けた側部伝達軸５２を介して前記引起装置９に伝達するように構成したコンバイン。
【請求項２】
請求項１において、前記左右両側の側部フレーム２７、２８のうちの左側部フレーム２７は、その上下中間部に中央側に突き出る屈曲部６０を設け、正面視「く」の字形状に形成したコンバイン。
【請求項３】
請求項１または請求項２において、前記刈取下側フレーム１９から前記引起装置９までの伝動経路中には、エンジンからの駆動回転は伝達するが、上側伝動ケース４１内の上側伝達軸５４の逆転を許容するワンウエイクラッチ６１を設けたコンバイン。
【発明の詳細な説明】
【技術分野】
【０００１】
本発明は、分草装置と引起装置を、刈刃（搬送装置）に対して移動させて畦際の穀稈の刈取を可能にするコンバインに係るものである。
【背景技術】
【０００２】
従来、最前方位置に左右に複数並設した分草具の後方に、穀稈を引き起こすラグ式引起装置を複数並設し、引起装置の後側に刈刃を設け、分草具と引起装置とは、側面視四角形状の移動フレームにより、フレームの基部を中心に通常の使用位置に対して上側斜め後方に退避させた後退位置とに切替自在に構成して、畦に近い穀稈の刈取りができるようにする技術が開示されている（特許文献１）
【特許文献１】特開平６−３２７３３６号公報
【発明の開示】
【発明が解決しようとする課題】
【０００３】
前記公知例は、正面視一対の引起装置の上部を移動フレームにより連結し、各引起装置の後側に前後方向の動力伝動筒を設けているから、移動フレーム周辺および引起装置の後側の動力伝動筒周辺の空間が狭くなり、穀稈の搬送が円滑に行えないという課題がある。
また、移動フレームおよび引起装置並びに動力伝動筒の上動させるための作動用スペースが広く必要となり、また、動力伝動筒の取付構成の制約により、引起装置を上動させる高さに限界がある。
また、単に、一対の引起装置と分草体とを連結している構成のため、移動フレームの強度が不足し、上方回動させると、引起装置と移動フレームが変形するという課題があり、この点でも、引起装置を上動させる高さに限界があり、少し高い畦際だと、穀稈に刈刃を接近させられないことがある。
また、単に、引起装置を上動させるだけであるから、分草装置や引起装置のみならず、引起装置の後側に配置される掻き込み装置や穀稈搬送装置のメンテナンスも容易でない。
本願は、簡単な構成で、分草装置と引起装置の上昇限界高さを高くし、円滑に上昇できるようにすると共に、安定した状態で作業できるように工夫したものである。
【課題を解決するための手段】
【０００４】
本発明は、最前方位置に左右に複数並設した分草装置８と、該分草装置８の後方に複数並設した穀稈を引き起こすラグ式引起装置９と、該引起装置９の後方に設けた穀稈を切断する刈刃１０と、該刈刃１０の後方に設けた搬送装置１１とを有する刈取部４を機体前部に設け、該刈取部４は、刈取部４のうち少なくとも前記分草装置８と前記引起装置９を、刈取フレーム１８の刈取下側フレーム１９の左右両側の側部フレーム２７、２８の上部に設けた上側伝動ケース４１から吊り下げて該上側伝動ケース４１の軸心を中心として上方回動するように構成し、前記刈取フレーム１８の刈取下側フレーム１９内に設けたエンジンからの回転が伝達される下側伝達軸５１の回転を、前記左右側部フレーム２７、２８のうちの左側部フレーム２７内に設けた側部伝達軸５２を介して前記引起装置９に伝達するように構成したコンバインとしたものであり、エンジンの回転が縦支持フレーム２０内のエンジン回転伝達軸４９に伝達され、エンジン回転伝達軸４９の回転がベベルギヤ５０を介して刈取下側フレーム１９内の下側伝達軸５１に伝達される。下側伝達軸５１の回転は、ベベルギヤ５３を介して左側部フレーム２７内の側部伝達軸５２に伝達され、側部伝達軸５２の回転がベベルギヤ５５を介して上側伝動ケース４１内の上側伝達軸５４に伝達され、上側伝達軸５４の回転がベベルギヤ５６を介して各伝動筒４０内に設けた引起伝動軸５７に伝達される。引起伝動軸５７に伝達された回転が引起装置９の横軸３３に伝達されて駆動歯車３４を回転させ、引起装置９の引起ラグ３６を作動させる。
そして、畦から離れた箇所では、引起装置９の引起ラグ３６を作動させながらコンバインを前進させて、分草装置８で分草して引起装置９で引起し、その後刈刃１０で穀稈の根本側を切断し、切断した穀稈を穀稈搬送装置１１で搬送するようにして穀稈を刈取る。
畦際では、分草装置８と引起装置９を、上方回動させ、刈刃１０を穀稈の根本側に直接接近させて切断し、切断した穀稈を穀稈搬送装置１１で搬送するようにして穀稈刈取る。
本発明は、前記左右両側の側部フレーム２７、２８のうちの左側部フレーム２７は、その上下中間部に中央側に突き出る屈曲部６０を設け、正面視「く」の字形状に形成したコンバインとしたものであり、左側部フレーム２７は正面視「く」の字形状に形成しているので、穀稈搬送装置１１との干渉を防止する。
本発明は、前記刈取下側フレーム１９から前記引起装置９までの伝動経路中には、エンジンからの駆動回転は伝達するが、上側伝動ケース４１内の上側伝達軸５４の逆転を許容するワンウエイクラッチ６１を設けたコンバインとしたものであり、畦から離れた箇所では、ワンウエイクラッチ６１は刈取下側フレーム１９内の下側伝達軸５１の回転を、上側伝動ケース４１内の上側伝達軸５４に伝達して引起装置９の引起ラグ３６を作動させ、分草装置８が分草した穀稈を引起す。
そして、分草装置８と引起装置９を上方回動させるとき、上側伝達軸５４が逆回転しても、ワンウエイクラッチ６１は上側伝達軸５４の逆回転を下側伝達軸５１に伝達しないから、引起装置９の伝動経路のメカロックを防止する。
【発明の効果】
【０００５】
請求項１の発明では、畦際の穀稈に可及的に接近させて刈取作業が行え、畦越えの作業も圃場に突っ込まずに行え、引起装置９への回転伝達も確実に行える。
請求項２の発明では、左側部フレーム２７を直線状に形成した場合に比し「く」の字形状に形成することで、穀稈搬送装置１１との干渉を防止する。
請求項３の発明では、引起装置９の伝動経路を、ベベルギヤ５６と軸との組合せにより構成して回転伝達効率を向上させ、しかも、分草装置８と引起装置９を上方回動させるときのメカロックの発生を防止して引起ラグの破損を防止できる。
【実施例１】
【０００６】
本発明の実施例を図により説明すると、２は走行装置、３は走行装置２の上方位置に設けた脱穀装置、４は脱穀装置３の前側に設けた刈取部、５はグレンタンク、６はグレンタンク５内の穀粒を排出する排出オーガ、７は操縦部である。
前記刈取部４は、最先端位置に分草装置８を左右に並設し、各分草装置８の後側に分草装置８が分草した穀稈を引起す引起装置９を設け、引起装置９の後側には刈刃１０を設け、刈刃１０の上方から後側には刈刃１０によって刈り取った穀稈を搬送する穀稈搬送装置１１を設ける。
穀稈搬送装置１１の構成は任意であるが、一例を示すと、刈刃１０の後側に刈り取った穀稈を搬送するラグ式の前側搬送装置１２を設け、前側搬送装置１２の終端部下方に前側搬送装置１２より宙吊り状態にスターホイル形状の掻込装置１３を設け、前側搬送装置１２と掻込装置１３の後側に、前側搬送装置１２と掻込装置１３が搬送した穀稈を搬送する後側搬送装置１４および該後側搬送装置１４の上方に設けた穂先搬送装置１５を設けて構成している。
【０００７】
また、前記後側搬送装置１４は、その始端部を上下自在に構成して扱深さ調節用搬送装置を兼用し、また、後側搬送装置１４の終端部を穀稈供給搬送装置１６の始端部に臨ませて、穀稈供給搬送装置１６に穀稈を引き継ぐ引継搬送装置を兼用しているが、別途扱深さ調節用搬送装置や引継搬送装置を設けてもよい。
また、前記穀稈搬送装置１１には、扱深さ調節用搬送装置や引継搬送装置を含めてもよく、また、掻込装置１３を穀稈搬送装置１１より除外してもよく、名称等によって限定されない。
【０００８】
しかして、前記刈取部４は、刈取フレーム１８の刈取下側フレーム１９を縦支持フレーム２０の先端に取付け、縦支持フレーム２０の基部は機体側に設けた支持台に回動自在に取付ける。前記縦支持フレーム２０には刈取上下シリンダの先端を取付け、刈取上下シリンダの基部を機体側に取付け、刈取上下シリンダを伸縮させて刈取部４を上下させる。
この場合、刈取フレーム１８は縦支持フレーム２０側に設けた固定フレーム２４と該固定フレーム２４に対して移動する移動フレーム２５とに分割形成し、前記移動フレーム２５側に少なくとも分草装置８および引起装置９を設けて引起ユニット２６を構成し、引起ユニット２６（移動フレーム２５）は固定フレーム２４の上部任意固定部に設けた回動中心を支点に通常作業位置に対して一体で前側上方回動するように構成して（図８）、畦際（枕地）まで刈刃１０を直接近づけて穀稈の刈り残しの無い刈り取りを可能にする。
【０００９】
しかして、前記刈取フレーム１８の刈取下側フレーム１９の左右中間位置に前記縦支持フレーム２０の先端を固定状態に取付ける。刈取下側フレーム１９の左右両側に左右側部フレーム２７、２８の下部を夫々固定状態に取付ける。
また、刈取下側フレーム１９の前側には刈刃フレーム３０を設け（図４）、刈刃フレーム３０に前記刈刃１０を摺動自在に取付ける（なお、刈刃１０の取付けおよび左右摺動する構成は公知であり、詳細は省略する）。
固定フレーム２４は、前記刈取下側フレーム１９と左右側部フレーム２７、２８とにより構成する。
【００１０】
しかして、前記各分草装置８は前後方向の軸棒形状により形成した分草杆３１の先端に設け、各分草装置８は公知のものであり、側面視後方に至るに従い高くなる傾斜面を有して形成している。分草杆３１の後部は刈取下側フレーム１９に任意の構成により着脱自在に取付ける。
また、前記引起装置９は公知の構成でよく、一例を示すと、引起装置９の引起フレーム３２の上部に前後方向の横軸３３により駆動歯車３４を設け、駆動歯車３４とローラ３５との間に引起ラグ３６を複数起伏自在に取付けたチエン３７を掛け回し、引起フレーム３２の前側を引起ケース３８により包囲して構成する。引起ラグ３６は引起ケース３８の下方位置で起立して穀稈を引起し、引起ケース３８の上部所定位置で引起ケース３８内に格納されて下降し、これを反復して穀稈を引き起こすように構成している。
【００１１】
前記各引起装置９の引起フレーム３２の下部は前記分草杆３１に取付け、引起フレーム３２の上部には上側に突き出す伝動筒４０の先端を固定し、各伝動筒４０の基部（上部）は上側伝動ケース４１に固定状態に取付け、上側伝動ケース４１の左右両側は左右側部フレーム２７、２８の上部に夫々回転自在に取付ける。
したがって、前記移動フレーム２５（引起ユニット２６）は少なくとも引起フレーム３２と上側伝動ケース４１を有して構成するが、上側伝動ケース４１は左右側部フレーム２７、２８を連結する固定フレーム２４も兼用する構成となっており、左右方向の上側伝動ケース４１の軸心を回動中心として分草装置８および引起装置９が上方回動して、刈刃１０の前側を開放するように構成する。
【００１２】
しかして、上側伝動ケース４１と左右側部フレーム２７、２８の取付部分には移動フレーム２５を移動（回動）させる移動機構４３を設ける。移動機構４３の移動用駆動手段４４をモータにより構成し、移動用駆動手段４４の歯車４５は上側伝動ケース４１外周に設けた受動歯車４６に噛み合わせる。この場合、移動機構４３の移動用駆動手段４４をブレーキ機構付きモータにより構成すると、移動用駆動手段４４に通電していないときには移動機構４３により上側伝動ケース４１の回転（回動）をロックできて好適である。
【００１３】
しかして、前記縦支持フレーム２０内には、エンジンからの回転を伝達するエンジン回転伝達軸４９を設け、エンジン回転伝達軸４９の回転はベベルギヤ５０を介して前記刈取下側フレーム１９内に設けた下側伝達軸５１に伝達する。前記左右側部フレーム２７、２８のうちの左側部フレーム２７内には側部伝達軸５２を設け、側部伝達軸５２にはベベルギヤ５３を介して前記下側伝達軸５１の回転を伝達する。上側伝動ケース４１内には上側伝達軸５４を設け、上側伝達軸５４にはベベルギヤ５５を介して前記側部伝達軸５２の回転を伝達する。前記上側伝達軸５４にはベベルギヤ５６を設け、ベベルギヤ５６を介して各伝動筒４０内に設けた引起伝動軸５７に回転伝達する。
したがって、刈取下側フレーム１９と上側伝動ケース４１との軸間距離を長くしても、確実に回転は伝動されるので、長穀稈用に上側伝動ケース４１の位置を高くすることができる。
また、刈取下側フレーム１９から引起装置９まで伝動機構をフレーム内に収納したので、伝動機構と穀稈等との接触が防止でき、この点でも、回転伝動は確実になる。
【００１４】
しかして、刈取下側フレーム１９の左側に設けた左側部フレーム２７は、上下中間部に中央側に突き出る屈曲部６０を設け、正面視「く」の字形状に形成する（図２、図４、図５）。左側部フレーム２７は、直線状に形成した場合に比し「く」の字形状に形成することで、穀稈搬送装置１１との干渉を防止する。
また、左側部フレーム２７は、側面視においても上下中間部の屈曲部６０を前側に位置させて「く」の字形状に形成しているので、穀稈搬送装置１１の側方空間を広くし、また、機体全長もコンパクトに納めることができる。
【００１５】
しかして、刈取下側フレーム１９から引起装置９までの伝動経路中に、ワンウエイクラッチ６１を設ける。ワンウエイクラッチ６１は、エンジンからの駆動回転は伝達するが、上側伝動ケース４１内の上側伝達軸５４の逆転を許容するように構成する。
即ち、引起装置９の伝動経路は、全て、ベベルギヤと軸との組合せにより構成しているため、引起装置９のラグを回さずに、引起ユニット２６を上方回動させると、上側伝達軸５４は下側伝達軸５１に対して逆転することになって、ラグがメカロックして破損の原因となるが、ワンウエイクラッチ６１を設けているので、ラグのメカロックを防止する。
実施例では、上側伝達軸５４に設けたベベルギヤ５５と上側伝達軸５４との間にワンウエイクラッチ６１を設けている。
【００１６】
しかして、上側伝動ケース４１の上側伝達軸５４の端部は、左側部フレーム２７の上部に固定のメタル６５に軸装する。該メタル６５にはひらき防止プレート６６を設け、ひらき防止プレート６６とメタル６５との間に、上側伝動ケース４１の端部に設けた受動歯車４６を位置させる。
引起ユニット２６を上方回動させると、左側部フレーム２７のメタル６５が外側に逃げるように荷重が掛かるが、受動歯車４６の側方にひらき防止プレート６６が位置するので、外れが防止される。
【００１７】
しかして、刈取下側フレーム１９には、右側伝動ケース６８を設け、右側伝動ケース６８にラグ６９式の右前側搬送装置１２を設ける。７０は右前側搬送装置１２の駆動軸、７１はフレーム、７２はカバー、７３は案内体である。左右の前側搬送装置１２は、フレーム７１に設けた歯車にチエンを掛け回し、チエンにラグ６９を起伏自在に取付けて構成している。右前側搬送装置１２の下方の掻込装置１３に、左前側搬送装置１２の下方の掻込装置１３を噛み合わせて、右前側搬送装置１２の回転を左前側搬送装置１２に伝達して駆動している。
左右前側搬送装置１２は、搬送ラグ６９により穀稈を搬送する構成のため、倒伏した穀稈の場合、引起ユニット２６を上方回動させて引起装置９が無いときでも、前側搬送装置１２の搬送ラグ６９により穀稈を掻き込むので、確実に枕刈りができる。
【００１８】
しかして、前記穀稈搬送装置１１の内の前側搬送装置１２を設けた場合、前側搬送装置１２の搬送搬送ラグ６９に相対峙させて穀稈を案内しつつ前側搬送装置１２と共に穀稈を挟持搬送するガイド７４を設ける（図５、図１２）。このガイド７４は固定フレーム２４側に設け、引起ユニット２６（移動フレーム２５）が上方回動しても固定フレーム２４側に残るように構成する。
即ち、ガイド７４と前側搬送装置１２の搬送ラグ６９により穀稈を挟持して搬送し、この状態で刈刃１０が切断するため、稈こぼれが無く、刈取および搬送が円滑になる。
また、通常作業では引起装置９が引き起こした穀稈を前側搬送装置１２に向けて案内し、ガイド７４を固定フレーム２４側に取付けることで、通常作業および枕地刈り作業の両方にとって有利に作用し、合理的な構成となる。
【００１９】
実施例では、ガイド７４は、軸棒部材により形成し、基部（後端）を刈取下側フレーム１９の任意部分に固定する。ガイド７４は中間屈曲部７５に向かって斜め上方に位置し、中間屈曲部７５は前側搬送装置１２の搬送ラグ６９の先端と略同じ高さに位置させ、中間屈曲部７５より先の先端部７６は後側に屈曲させ、側面視において通常作業の引起装置９の後側に位置させる。
また、ガイド７４は、複数の軸棒部材により箒状に形成して、穀稈を前側搬送装置１２に向けて案内するように構成してもよい。
【００２０】
しかして、前記移動機構４３は、上側伝動ケース４１の左側端部と、左側部フレーム２７との間に設ける。
即ち、右側部フレーム２８より左側部フレーム２７の強度を確保して、左側部フレーム２７内に側部伝達軸５２を設けると共に、移動機構４３の移動用駆動手段４４を左側部フレーム２７に取付けているので、移動用駆動手段４４を確実に保持する。
また、左右側部フレーム２７、２８の内の一方の左側部フレーム２７の強度を向上させたので、刈取部４全体の軽量化も図れる。
【００２１】
（実施例の作用）
走行装置２により圃場を走行すると、刈取部４の分草装置８が圃場の穀稈を分草し、分草された穀稈は引起装置９により引き起こされ、引き起こされた穀稈が刈刃１０により切断され、穀稈搬送装置１１により穀稈供給搬送装置１６に穀稈を搬送し、穀稈供給搬送装置１６により脱穀室に穀稈が供給されて脱穀される。
刈取部４は、刈取フレーム１８に分草装置８と引起装置９と刈刃１０と穀稈搬送装置１１を設けて構成し、刈取フレーム１８は縦支持フレーム２０の先端に取付けられ、縦支持フレーム２０の基部は機体側に設けた支持台に回動自在に取付けているから、刈取上下シリンダを伸縮させると、刈取部４を上下させることができ、これにより刈取部４全体を上下させて刈高さを調節して前進して作業を行う。
【００２２】
しかして、刈取部４の刈取フレーム１８には少なくとも分草装置８と引起装置９と刈刃１０と穀稈搬送装置１１を設け、刈取フレーム１８全体が機体側に対して上下するが、更に、刈取フレーム１８は縦支持フレーム２０側に設けた固定フレーム２４と該固定フレーム２４に対して移動する移動フレーム２５とに分割形成し、移動フレーム２５側には少なくとも分草装置８および引起装置９を設けて引起ユニット２６を構成すると共に、移動フレーム２５（引起ユニット２６）は刈取部４の上部任意固定部に設けた回動中心を支点として移動フレーム２５（引起ユニット２６）の伝動筒４０の先端が上側伝動ケース４１の軸心より上方に位置するまで前側上方回動するように構成しているから、刈刃１０の前方に位置する刈取部４の前側部分（引起ユニット２６）を刈刃１０に対して上方移動させた分当初位置まで刈刃１０が前進でき、畦際の穀稈に刈刃１０を可及的に接近して手作業によらずに畦際（枕地）の穀稈の機械刈りが可能となる。
【００２３】
また、伝動筒４０の先端が上側伝動ケース４１の軸心より上方に位置するまで前側上方回動させると、刈取部４を含めた機体重心が後寄りとなって、圃場入口や畦越え後の前傾姿勢や、機体重心位置が極端に前側に位置するような場合でも、移動フレーム２５（引起ユニット２６）および機体の重心位置安定させた状態で、作業が行える。
また、刈刃１０の前側の引起ユニット２６が上動しているので、分草装置８および引起装置９の下部が圃場に突っ込むのを防止する。
この場合、複数並設した分草装置８と引起装置９は一体的に引起ユニット２６に構成しているから、引起ユニット２６は、刈刃１０の前方全体を一度に開放し、開放作業を容易にする。
【００２４】
また、分草装置８および引起装置９は、移動フレーム２５（引起ユニット２６）ごと移動させるから、操縦部７にいる作業者は畦際の穀稈まで直接近づいて切断する刈取作業を、刈刃１０およびその前側上方周辺から視認でき、作業性および操作性を向上させ、好適である。
この場合、刈刃１０の上方から後側に穀稈搬送装置１１が存在し、穀稈搬送装置１１は刈刃１０と共に固定フレーム２４に位置固定に設けるだけでなく、引起ユニット２６を移動させた後も駆動可能であるから、刈刃１０により刈り取った穀稈は穀稈搬送装置１１により穀稈供給搬送装置１６に搬送され、穀稈供給搬送装置１６により脱穀室に供給される。
【００２５】
しかして、移動用駆動手段４４に通電して歯車４５を回転させると、歯車４５の回転により受動歯車４６が回転し受動歯車４６は上側伝動ケース４１を回転させ、上側伝動ケース４１は移動フレーム２５（引起ユニット２６）全体を上側伝動ケース４１の軸心を回動中心として上方回動させて、刈刃１０の前側を開放するから、上側伝動ケース４１の左右両側を支点として一体的に上方移動させることができ、移動フレーム２５の変形を抑制できる。
【図面の簡単な説明】
【００２６】
【図１】コンバインの側面図。
【図２】刈取部の側面図（分草体は省略）。
【図３】刈取部の側面図（分草体は省略）。
【図４】前側搬送装置および掻込装置部分の側面図。
【図５】同平面図。
【図６】固定側フレームおよび伝動機構の概略正面図。
【図７】引起装置部分の正面図。
【図８】引起ユニットを所定高さに上動させた側面図。
【図９】移動機構部分の縦断正面図。
【図１０】刈取部の側面図（分草体は省略）。
【図１１】引起装置の一部正面図。
【図１２】刈刃の一部部分の平面図。
【図１３】引起ユニットを上動させた作業状態側面図。
【符号の説明】
【００２７】
１…機体フレーム、２…走行装置、３…脱穀装置、４…刈取部４、５…グレンタンク、６…排出オーガ、７…操縦部、８…分草装置、引起装置９…引起装置、１０…刈刃、１１…穀稈搬送装置、１２…前側搬送装置、１３…掻込装置、１４…後側搬送装置、１５…穂先搬送装置、１６…穀稈供給搬送装置、１８…刈取フレーム、１９…刈取下側フレーム、２０…縦支持フレーム、…支持台、２４…固定フレーム、２５…移動フレーム、２６…引起ユニット、２７…左側部フレーム、２８…右側部フレーム、３０…刈刃フレーム、３１…分草杆、３２…引起フレーム、３３…横軸、３４…駆動歯車、３５…ローラ、３６…引起ラグ、３７…チエン、３８…引起ケース、４０…伝動筒、４１…上側伝動ケース、４９…エンジン回転伝達軸、５０…ベベルギヤ、５１…下側伝達軸、５２…側部伝達軸、５３…ベベルギヤ、５４…上側伝達軸、５７…引起伝動軸、５６…ベベルギヤ、５５…ベベルギヤ、６０…屈曲部、６１…ワンウエイクラッチ、６５…メタル、６６…ひらき防止プレート、６８…右側伝動ケース、６９…搬送ラグ、７０…駆動軸、７１…フレーム、７２…カバー、７４…ガイド、７５…中間屈曲部、７６…先端部。
【図１】
2006320279.tif 000003
【図２】
2006320279.tif 000004
【図３】
2006320279.tif 000005
【図４】
2006320279.tif 000006
【図５】
2006320279.tif 000007
【図６】
2006320279.tif 000008
【図７】
2006320279.tif 000009
【図８】
2006320279.tif 000010
【図９】
2006320279.tif 000011
【図１０】
2006320279.tif 000012
【図１１】
2006320279.tif 000013
【図１２】
2006320279.tif 000014
【図１３】
2006320279.tif 000015